(57)【要約】  【課題】アドレスを隣接トラック間で同一の第１のデータと、隣接トラック間で異なる第２のデータとに分け、それぞれに適した変調方式でもって変調することによって、アドレスを良好に再生できる。  【解決手段】ＣＡＶまたはゾーンＣＡＶの光情報記録媒体であって、連続的にウォブルするグルーブが予め形成され、グルーブおよびグルーブに隣接するランドに情報を記録するようになされ、ウォブルを変調することによって、アドレス情報が記録され、アドレス情報は、隣接トラック間で同一の第１のデータと、隣接トラック間で異なる第２のデータとを含み、第１のデータと第２のデータとが異なる第１および第２の変調方式によってそれぞれ変調されて記録されている光情報記録媒体である。【選択図】図５
2015036996.tif 000002
【特許請求の範囲】
【請求項１】
ＣＡＶまたはゾーンＣＡＶの光情報記録媒体であって、
連続的にウォブルするグルーブが予め形成され、前記グルーブおよび前記グルーブに隣接するランドに情報を記録するようになされ、
前記ウォブルを変調することによって、アドレス情報が記録され、
前記アドレス情報は、隣接トラック間で同一の第１のデータと、隣接トラック間で異なる第２のデータとを含み、
前記第１のデータと前記第２のデータとが異なる第１および第２の変調方式によってそれぞれ変調されて記録されている光情報記録媒体。
【請求項２】
前記第２のデータを変調する前記第２の変調方式に比較して、前記第１のデータを変調する前記第１の変調方式は、変調成分がより大きいものである請求項１に記載の光情報記録媒体。
【請求項３】
トラックの１周が略等しい角度でもって分割され、分割された範囲を示す角度領域番号が前記第１のデータに含まれる請求項１に記載の光情報記録媒体。
【請求項４】
前記第２のデータに、隣接トラック間で段階的に変化するトラック番号を変化により相違するビット数をより少なくするように符号化した符号化トラック番号が含まれる請求項１に記載の光情報記録媒体。
【請求項５】
前記第１および第２のデータがエラー訂正符号化され、エラー訂正符号化の冗長データが前記第２の変調方式でもって変調されて記録されている請求項１に記載の光情報記録媒体。
【請求項６】
前記エラー訂正符号化が組織符号である請求項５に記載の光情報記録媒体。
【請求項７】
ＣＡＶまたはゾーンＣＡＶの光情報記録媒体であって、
連続的にウォブルするグルーブが予め形成され、前記グルーブおよび前記グルーブに隣接するランドに情報を記録するようになされ、
前記ウォブルを変調することによって、アドレス情報が記録され、
前記アドレス情報は、隣接トラック間で同一の第１のデータと、隣接トラック間で異なる第２のデータとを含み、
前記第１のデータと前記第２のデータとが異なる第１および第２の変調方式によってそれぞれ変調されて記録されている光情報記録媒体を光学的に再生し、
ランドを走査する時に、前記第１および第２のデータを再生し前記ランドのアドレス情報を再生する光情報記録媒体再生装置。
【発明の詳細な説明】
【技術分野】
【０００１】
本開示は、例えば記録可能な光ディスクに適用される光情報記録媒体および光情報記録媒体再生装置に関する。
【背景技術】
【０００２】
従来、レ−ザ光を用いて情報を記録或いは記録情報を再生する光ディスクが実用化されている。光ディスクの種類としては、再生専用型、追記型および書き替え型がある。追記型および書き換え型では、情報の記録のために、予め光ディスクの位置を示すアドレス情報が記録されている必要がある。
【０００３】
アドレス情報を記録する方法して、２種類のものが知られている。その一つは、アドレス情報をプリフォーマットピットとして記録する方式である。他の方式は、溝に対してウォブルと称される溝を形成する信号をアドレス情報によって変調する方式である。プリフォーマットピットを記録することは、ユーザデータの記録用エリアを減少させ、光ディスクの記録容量を減少させる問題がある。ウォブル方式は、そのような問題がない利点がある。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。
【０００４】
さらなる記録容量の増大のためには、グルーブトラックおよびランドトラックの両方にデータを記録する方法（ランド／グルーブ記録方式と適宜称する）が望ましい。ランド／グルーブ記録方式においては、グルーブトラックに対するアドレス情報は、カッティング時にレーザ光を偏向させることによって記録することができる。しかしながら、ランドトラックに対するアドレス情報をウォブルによって記録することが困難である。ランドトラックを走査した場合には、両側のグルーブトラックのウォブルが再生される。しかも、これらのウォブルは、異なるグルーブトラックの情報であり、ウォブルの位相が揃っていない。その結果、ランドトラックの幅の変動が大きくなり、再生信号の反射率が変化し、ランドに記録されているデータを正常に再生することが困難である。
【０００５】
例えばＢＤ（Blu-ray Disc（登録商標））においては、ウォブルグルーブによってアドレス情報を記録し、グルーブにデータを記録するようになされている（特許文献１参照）。アドレスを変調する方式として、ＢＤでは、ＭＳＫ(Minimum Shift Keying)とＳＴＷ(Saw Tooth Wobble)との両方が使用されている。
【先行技術文献】
【特許文献】
【０００６】
【特許文献１】特許第４１２１２６５号明細書
【発明の概要】
【発明が解決しようとする課題】
【０００７】
ランド／グルーブ記録方式において、ランドの幅の変動を少なくするために、ランドの両側のグルーブのウォブルの位相を光ディスクの半径方向において揃えることが好ましい。ウォブルグルーブをＭＳＫによって変調した場合には、変調成分が比較的大きいので、短い区間でもってアドレス情報を正確に読み取ることができる。しかしながら、グルーブウォブルがＭＳＫによって変調されているために、ランドトラックの両側のグルーブウォブルの位相が異なる部分が生じ、ランドトラックの幅の変動が大きいものとなる。その結果、ランドトラックを再生する場合に、反射率の変動が大きくなり、再生信号を正確に読み取ることが難しくなるおそれがある。
【０００８】
ＭＳＫではなく、ＳＴＷによってグルーブアドレスを記録すると、グルーブウォブルの変動がＭＳＫに比較して小さいので、ランドトラックの幅が小さいものに抑えることができる。しかしながら、アドレス情報の読み取りが難しいものとなり、長い期間にわたってアドレス情報を記録し、ノイズの影響を受けないようにする必要がある。したがって、ＳＴＷによってアドレス情報を記録する場合には、長い期間が必要となり、場合によっては、アドレス情報を全て記録できないおそれがある。この問題を回避するために、記録期間を短くすると、アドレス情報の読み取りが難しくなる問題がある。ランド／グルーブ記録方式においては、ランドにもデータが記録されているので、アドレス再生時のノイズが増加するので、グルーブ記録に比してよりノイズに強くする必要がある。
【０００９】
したがって、本開示は、アドレス情報をウォブルによって記録する場合に、アドレス情報およびデータの再生を良好に行うことができる光情報記録媒体および光情報記録媒体再生装置の提供を目的とする。
【課題を解決するための手段】
【００１０】
本開示は、ＣＡＶまたはゾーンＣＡＶの光情報記録媒体であって、連続的にウォブルするグルーブが予め形成され、グルーブおよびグルーブに隣接するランドに情報を記録するようになされ、
ウォブルを変調することによって、アドレス情報が記録され、
アドレス情報は、隣接トラック間で同一の第１のデータと、隣接トラック間で異なる第２のデータとを含み、
第１のデータと第２のデータとが異なる第１および第２の変調方式によってそれぞれ変調されて記録されている光情報記録媒体である。
【００１１】
本開示は、ＣＡＶまたはゾーンＣＡＶの光情報記録媒体であって、連続的にウォブルするグルーブが予め形成され、グルーブおよびグルーブに隣接するランドに情報を記録するようになされ、
ウォブルを変調することによって、アドレス情報が記録され、
アドレス情報は、隣接トラック間で同一の第１のデータと、隣接トラック間で異なる第２のデータとを含み、
第１のデータと第２のデータとが異なる第１および第２の変調方式によってそれぞれ変調されて記録されている光情報記録媒体を光学的に再生し、
ランドを走査する時に、第１および第２のデータを再生しランドのアドレス情報を再生する光情報記録媒体再生装置である。
【発明の効果】
【００１２】
本開示によれば、ウォブルの変動が大きい変調方式を採用した場合でも、ランドトラックの幅の変動を防止できる。したがって、短い領域での確度良いアドレス検出と再生信号の正確な読み取りを両立できる。さらに、より多くの領域をウォブルの変動が小さい変調方式を採用する情報に割り当てることができるので、この領域でのアドレス情報の検出確度を高くすることができる。なお、ここに記載された効果は必ずしも限定されるものではなく、本開示中に記載されたいずれかの効果であっても良い。
【図面の簡単な説明】
【００１３】
【図１】光ディスクの一例および光ディスクのトラックの説明のための略線図である。
【図２】従来の変調方式の一例であるＳＴＷの説明のための略線図である。
【図３】従来の変調方式の一例であるＭＳＫの説明のための略線図である。
【図４】本開示の一実施の形態のＡＤＩＰワードの説明のための略線図である。
【図５】本開示の一実施の形態のアドレス情報の説明のための略線図である。
【図６】トラック番号のグレイコード化の説明のための略線図である。
【図７】アドレス情報の記録方法の一例の説明のための略線図である。
【図８】アドレス情報の記録方法の他の例の説明のための略線図である。
【図９】本開示の一実施の形態の再生装置のブロック図である。
【発明を実施するための形態】
【００１４】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
以下の説明は、下記の順序にしたがってなされる。
＜１．光ディスクの一例＞
＜２．アドレス変調方式＞
＜３．一実施の形態におけるアドレス情報＞
＜４．アドレス情報の記録方法の一例＞
＜５．アドレス情報の記録方法の他の例＞
＜６．ディスク再生装置＞
＜７．変形例＞
【００１５】
＜１．光ディスクの一例＞
本開示の第１の実施の形態による光情報記録媒体について説明する。図１Ａおよび図１Ｂは、第１の実施の形態による光情報記録媒体の構成例を示す。光情報記録媒体は、例えばディスク状の高密度記録光ディスクである。図１Ａは光ディスクの概略であり、図１Ｂは、図１Ａの光ディスクの一部を拡大した図である。
【００１６】
図１Ａおよび図１Ｂに示すように、光ディスク１には、内周から外周の方向または外周から内周の方向にスパイラル状に連続した溝状のグルーブＧと隣接するグルーブＧ間に挟まれたエリアであるランドＬが形成されている。グルーブＧは、光ディスク１の製造時に形成される。グルーブＧは、例えばホトレジストが塗布された原盤に対して、レーザ光を照射して形成される。
【００１７】
ランドＬおよびグルーブＧにデータが記録されるランド／グルーブ記録方式で、データが記録される。光ディスク１のグルーブＧは、ウォブルグルーブである。ウォブルを形成する信号をアドレス情報によって変調する方式で、アドレス情報が記録されている。本明細書において、グルーブは、光ディスクを製造する時に、レーザ光によって照射される部分と定義され、グルーブにより形成されるトラックをグルーブトラックと称し、隣接するグルーブ間に挟まれるエリアをランドと称し、ランドにより形成されるトラックをランドトラックと称する。
【００１８】
本開示の一実施の形態では、角速度一定（以下、ＣＡＶ(Constant Angular Velocity:
角速度一定）と称する）でディスクを回転させる。ディスクの半径方向を分割して複数のゾーンを形成し、ゾーン内では、ＣＡＶ制御を行うゾーンＣＡＶを採用しても良い。ＣＡＶまたはゾーンＣＡＶによって渦巻き状のウォブルトラックにおいて、ディスクの半径方向でウォブルの基本波の位相が互いに同期したものとできる。
【００１９】
＜２．アドレス変調方式＞
本開示の理解のために、ＢＤにおいて採用されている変調方式について説明する。ＳＴＷ方式は、基本波(cos(2πft))に対して２次高調波(sin(2π2ft)) を加算または減算することによって、のこぎり歯に似た変調波形を生成するものである。２次高調波の振幅は、基本波形の１／４程度の小さなものとされている。データの"0" または"1" によって、加算および減算の一方が選択されるので、変調波形が異なったものとされる。
【００２０】
図２は、ＳＴＷによりアドレス情報を記録した場合のトラックを拡大して示す。各ランドトラックの両側のグルーブトラックのアドレスとして同じデータが記録（両グルーブとも高調波が加算、もしくは減算）されている同相高調波の場合と、異なるデータが記録（一方のグルーブでは高調波が加算され他方では減算）されている逆相高調波の場合とが示されている。上述したように、２次高調波の振幅は、基本波形の１／４程度の小さなものとされているので、加算または減算した結果の波形は、基本波との相違が小さいものである。したがって、ランドトラックの幅の変動が小さく、記録データの再生に影響を少ないものとできる。しかしながら、ノイズの影響を受けないように、長い期間にわたってＳＴＷにより変調されたウォブル波形を記録する必要があり、アドレス検出には、長い区間が必要とされる。このことは、アドレス情報の記録密度が低いことを意味し、アドレスの情報量が多い場合には、アドレス情報を記録できないおそれが生じる。特に、ランド／グルーブ記録の場合には、アドレスの読み取りに対して記録データがノイズとして作用する割合がグルーブのみに記録する方法に比して多くなり、長い期間を必要とする。
【００２１】
ＭＳＫは、連続する３個のウォブルによって構成されている。前後のウォブルの周波数が基本波の１．５倍とされているので、中心のウォブルの波形がＭＳＫでない部分に対して極性が反転されている。ＢＤフォーマットでは、各ＡＤＩＰ(Address In Pregroove)ユニットの先頭（０−２番目のウォブル）に対して配置され、ＡＤＩＰユニットの先頭位置を検出するために使用される。さらに、ＭＳＫの位置によって、データの０と１とが表されている。
【００２２】
図３は、ＭＳＫによりアドレス情報を記録した場合のトラックを拡大して示す。グルーブがＭＳＫにより変調されている場合には、基本波との相違が大きいものとなる。したがって、短い区間において、確度良くアドレス情報を検出できる利点がある。しかしながら、ランド幅の変動が大きくなり、ランドトラックに記録されている記録データの再生に影響が与えられる問題がある。
【００２３】
上述したＳＴＷおよびＭＳＫは、アドレス情報の記録方法としてメリットおよびデメリットをそれぞれ有しており、何れか一方を使用することは難しい。ランド／グルーブ記録方式の場合では、ＭＳＫを使用すると、ランド幅の変動が大きい問題があるので、例えばウォブル振幅を小さくするような対処が必要となる。しかしながら、ウォブル振幅を小さくした場合には、本来ＭＳＫのメリットであるはずの短区間での高確度なアドレス再生が実現できなくなる。本開示は、これらの点を考慮したものである。
【００２４】
＜３．一実施の形態におけるアドレス情報＞
図４に示すように、アドレス情報は、ＡＤＩＰワード単位で記録されている。各ＡＤＩＰワードには、所定数例えば２８個のＡＤＩＰユニットが含まれている。アドレス情報は、光ディスク１上の物理的位置を表す情報である。
【００２５】
一実施の形態では、アドレス情報として、層番号、トラック番号、角度領域番号が使用され、これらのアドレス情報に対してエラー訂正符号化がなされ、その結果、冗長コード（パリティと適宜称する）が生成される。層番号は、多層ディスクの場合の各層を表すための例えば４ビットのアドレスであり、基本層（Ｌ０層）に対して層番号（００００）が割り当てられる。
【００２６】
光ディスク１に形成されるグルーブトラックおよびランドトラックに対してそれぞれトラック番号を付与する。トラック番号は、一例として光ディスク１の内周側から外周側に向かってインクリメントするインクリメンタルな情報である。すなわち、トラック番号が段階的に変化する数例えば１ずつ変化する数値で表される。例えば１７ビットのトラック番号が使用され、（０〜１３１，０７１）のトラック番号を付与することが可能とされる。
【００２７】
トラック番号をインクリメントする場合、２種類の方法がある。その一つは、グルーブのトラック番号を＋１ずつ変化される方法である。この場合には、ランドトラックのトラック番号が隣接するグルーブトラックのトラック番号と同一となる。他の方法は、グルーブのトラック番号を＋２ずつ変化させる方法である。この場合には、グルーブトラックが例えば偶数番号のトラック番号となり、ランドトラックが奇数番号のトラック番号となる。本開示では、何れの方法でトラック番号を規定しても良い。以下の例では、グルーブトラックのトラック番号を＋１ずつ変化させる第１の方法を使用するものとする。
【００２８】
図５Ａに示すように、本開示の一実施の形態では、ランドトラックまたはグルーブトラックの１周が略等しい角度でもって例えば８個に分割され、分割された領域を示すために、３ビット（０〜７）の角度領域番号が使用される。角度領域番号を使用するのは、より細かい範囲で位置を規定するためである。
【００２９】
上述したアドレス情報（層番号（４ビット）、トラック番号（１７ビット）、角度領域番号(３ビット））は、合計２４ビットの情報である。２４ビットの情報に対してエラー
訂正符号化を行う。エラー訂正符号化としては、組織符号が使用され、生成された２４ビットのパリティがアドレス情報に対して付加される。符号化によって、情報が元のデータから変化しないエラー訂正符号が組織符号と呼ばれる。
【００３０】
上述したアドレス情報を含むＡＤＩＰワードの構成の一例が図５Ｂに示される。ＡＤＩＰユニット０〜ＡＤＩＰユニット２７までが規定されている。各ＡＤＩＰユニットの先頭には、ビット同期をとるためのビットシンクが付加されている。ビットシンクは、複数ビットからなり、同一のビットパターンとされている。光ディスクの再生時には、ビットシンクと同期する再生クロックが生成される。
【００３１】
ビットシンクの後にデータエリアとパリティエリアとが設けられている。さらに、ＡＤＩＰユニット０、ＡＤＩＰユニット７、ＡＤＩＰユニット１４、ＡＤＩＰユニット２１のそれぞれには、ワードシンクＡ、ワードシンクＢ、ワードシンクＣおよびワードシンクＤが配される。これらのワードシンクＡ〜ワードシンクＤは、データエリアとパリティエリアとを使用して挿入される。ワードシンクＡ〜ワードシンクＤは、異なるＡＤＩＰユニット番号を検出するために互いに異なるデータとされ、且つアドレス情報中のデータに出現しない固有のデータとされている。ワードシンクＡを検出することによって、ＡＤＩＰワードの先頭位置が分かる。ワードシンクＢを検出することによって、ＡＤＩＰユニット７の位置が分かる。ワードシンクＣを検出することによって、ＡＤＩＰユニット１４の位置が分かる。ワードシンクＤを検出することによって、ＡＤＩＰユニット２１の位置が分かる。
【００３２】
ＡＤＩＰユニット０〜ＡＤＩＰユニット１９の中で、ワードシンクＡ、ＢおよびＣを除く１７個のＡＤＩＰユニットのデータエリアに対して１７ビットのトラック番号（Track
0〜Track16）が挿入される。Track 0がＬＳＢ(Least Significant Bit：最下位ビット）
であり、Track16がＭＳＢ(Most Significant Bit：最上位ビット）である。
【００３３】
ＡＤＩＰユニット２０〜ＡＤＩＰユニット２３の中で、ワードシンクＤを除く３個のＡＤＩＰユニットのデータエリアに対して３ビットの角度領域番号(Angle 0〜Angle 2)が挿入される。Angle 0がＬＳＢであり、Angle 2がＭＳＢである。
【００３４】
ＡＤＩＰユニット２４〜ＡＤＩＰユニット２７の４個のＡＤＩＰユニットのデータエリアに対して４ビットの層番号(Layer 0〜Layer 3)が挿入される。Layer 0がＬＳＢであり
、Layer 3がＭＳＢである。
【００３５】
ＡＤＩＰユニット０〜ＡＤＩＰユニット２７の中で、ワードシンクＡ、Ｂ、ＣおよびＤを除く２４個のＡＤＩＰユニットのパリティエリアに対して２４ビットのパリティ（Parity 0〜Parity23）が挿入される。Parity 0がＬＳＢであり、Parity23がＭＳＢである。
【００３６】
上述したアドレス情報の中で、ビットシンク、ワードシンクＡ〜ワードシンクＤ、層番号(Layer 0〜Layer 3)は、隣接するウォブルグルーブ間で同一のデータ（第１のデータ）である。さらに、同じ角度領域においては、角度領域番号(Angle 0〜Angle 2)も隣接するウォブルグルーブ間で同一のアドレス情報（第１のデータ）である。トラック番号（Track 0〜Track16）およびパリティデータ（Parity 0〜Parity23）は、異なるデータ（第２のデータ）である。
【００３７】
トラック番号は、隣接ウォブルグルーブ間でランダムに異なるデータではなく、段階的に異なるデータである。すなわち、トラック番号は、インクリメンタルが情報である。したがって、図６に示すように、トラック番号を予めグレイコードによって符号化しておくことによって、隣接トラック間で異なるビット数を減少させることができる。
【００３８】
図６において実線で囲んだビットは、４ビットの２進データが１０進数で１少ないデータ（表中の上段のデータ）と相違するビットを示すものである。例えば「７」を表す４ビットのデータと「８」を表す４ビットのデータとの間では、４ビットが全て相違している。これに対して、グレイコードにより符号化した場合には、全ての値に関して、上段の値との間で１ビットしか相違しない。図６は、４ビットの例であるが、１７ビットの場合も同様である。
【００３９】
例えば角度領域毎に１または複数の上述したＡＤＩＰワードをウォブルグルーブとして記録した場合、光ディスクの半径方向にＡＤＩＰユニット０〜ＡＤＩＰ２７のそれぞれの位置が揃うことになる。すなわち、図５Ｂに示すビットシンク、データエリアおよびパリティエリアの記録位置が光ディスクの半径方向で揃った位置となる。
【００４０】
上述したように、ビットシンクは、同一データであり、データエリア内のデータも同一データ（角度領域番号および層番号）または１ビットしか相違しないデータ（トラック番号）である。したがって、ビットシンクおよびデータエリア内のデータは、変調成分が大きく、短い区間に記録すれば済む、第１の変調方式例えばＭＳＫによって変調される。例えば所定数のウォブル周期の間でＭＳＫマークの位置および／または個数がデータの"0"
と"1"との間で相違したものとされる。同一データであるので、どのような変調方式を使
用しても良いが、より短い区間でもって判別が容易な変調方式が好ましい。
【００４１】
なお、ワードシンクＡ〜Ｄは、アドレスを復調する前に、再生信号から抽出してＡＤＩＰワードの先頭を検出する必要があるので、データと異なる方式で記録しても良い。同一データであるので、ランドの両側のウォブルグルーブは、同一の位相で変化し、これらのウォブルグルーブによって挟まれるランドの幅は、変動しない。
【００４２】
パリティエリアのパリティデータは、隣接するトラック間で相違するデータであるので、変調成分が小さく、長い区間に記録する、第２の変調方式例えばＳＴＷによって変調される。例えば所定数のウォブル周期において、データの"1"、"0"と対応して、基本波(cos(2πft))に対して２次高調波(sin(2π2ft)) を加算または減算する。２次高調波の振幅は、基本波形の１／４程度の小さなものとされており、両側のウォブルグルーブが異なるデータによって変調されたものであっても、ランド幅の変動が小さいものとなる。アドレスデータによる信号成分が小さいので、アドレス検出には長い区間の積分が必要となる。
【００４３】
上述した本開示の一実施の形態は、下記のような効果を奏する。
・隣接トラック間で同一のデータに関しては、ランド幅の変動が生じないので、変動が大きい変調方式を採用することができ、短い区間においてアドレス情報を確度良く検出できる。
・隣接トラック間で段階的に変化するデータに関しては、グレイコード化によりランド幅の変動が生じる個所を削減して、変動が大きい変調方式を採用することができ、短い区間においてアドレス情報を確度良く検出できる。
・より多くの領域を変動が小さい変調方法に割り当てることができるので、この領域のアドレス情報の検出確度を高めることができる。
【００４４】
＜４．アドレス情報の記録方法の一例＞
上述したアドレス情報を記録する方法の一例について、図７を参照して説明する。図７に示すように、３個のＡＤＩＰワードをグルーブトラックの各角度領域上に記録する。各ＡＤＩＰワードは、図５Ｂに示すデータ構成とされている。３個のＡＤＩＰワードの内の２個のＡＤＩＰワードにランドアドレスが記録される。例えば、ビットシンクおよびデータエリアは、ＭＳＫによって変調され、パリティエリアは、ＳＴＷと同様の変調方式で変調されて記録される。
【００４５】
３個のＡＤＩＰワードの中の一つは、当該グルーブトラックのアドレス（グルーブアドレス）であり、他の二つはランドトラックのアドレス（ランドアドレス）である。図７は、ディスク径方向に連続するグルーブトラックおよびランドトラックを模式的に示している。一例として、図の上側がディスクの内側（中心側）であり、下側がディスクの外周側である。ディスクの内側から外側に向かってスパイラル状にグルーブが形成され、トラックアドレスが外側に向かって増加するようになされている。さらに、矢印で示すように、図に向かって左から右へビームスポット（記録／再生ビームスポット）が走査するものとする。
【００４６】
一つのグルーブトラックの二つのＡＤＩＰワードにそれぞれ記録される二つのランドアドレスの一方は、偶数ランドアドレスであり、その他方は、奇数ランドアドレスである。各ランドアドレスは、隣接する両側のグルーブトラックのウォブルとして記録される。すなわち、偶数ランドトラックをビームスポットが走査する際に、両側に隣接するグルーブトラックにそれぞれ同一の偶数ランドアドレスが記録されている領域では、当該偶数ランドアドレスを再生することができる。この領域でのランドの幅の変動が生じない。さらに、奇数ランドトラックをビームスポットが走査する際に、両側に隣接するグルーブトラックにそれぞれ同一の奇数ランドアドレスが記録されている領域では、当該奇数ランドアドレスを再生することができる。この領域でのランドの幅の変動が生じない。
【００４７】
偶数ランドトラックおよび奇数ランドトラックをそれぞれ走査する場合、両側に異なるトラックのグルーブアドレスが記録されている領域では、主にパリティエリアの区間において、ランド幅が変動する。しかしながら、上述したように、パリティエリアでは、ウォブルの変動が少ないような変調方式例えばＳＴＷを使用しているので、ランド幅の変動を少なくできる。さらに、両側に異なるランドアドレスが記録されている区間でも、同様に、ランド幅の変動を少ないものとできる。
【００４８】
＜５．アドレス情報の記録方法の他の例＞
図８は、アドレス情報の記録を説明するために光ディスクの一部を拡大した拡大図である。なお、グルーブに記録されるアドレス情報は、図５Ｂに示すようなデータ構成を有する。例えば、ビットシンクおよびデータエリアは、ＭＳＫによって変調され、パリティエリアは、以下に説明する変調方式で変調されて記録される。図８は、簡単のために、パリティエリアに対する変調のみを示している。
【００４９】
ウォブルの基本周波数をｆ0として、その逆数Ｔ＝１／ｆ0をアドレス情報の単位記録区間とし、基本周波数ｆ0の整数倍の周波数成分を用いてアドレス情報を記録する。なお、
本開示のアドレス情報の記録は、ＯＦＤＭ（Orthogonal Frequency Division Multiplexing）変調を適用したものである。この記録方式は、時間窓を決めて、再生信号ｘ（ｔ）をフーリエ変換すると、各高調波成分の強度と位相とを分離して検出できることを利用し、アドレス情報によりウォブルの各高調波成分を位相変調した信号を多重化したＯＦＤＭ信号により、アドレス情報を記録するものである。ここで、アドレス情報は、パリティエリアのデータである。
【００５０】
ランドトラックに対して、中心から外周に向けて順に、トラック番号１〜ｎ（ｎは２以上の整数）を振る。なお、図８には、ランドＬ１１〜ランドＬ１５が示されている。単位記録区間ごとに、基本周波数の２次高調波成分をＢＰＳＫ（Binary Phase Shift Keying
）変調することにより、偶数ランドトラックのランドアドレスを記録する。基本周波数の３次高調波成分をＢＰＳＫ変調することにより、奇数ランドトラックのランドアドレスを記録する。
【００５１】
すなわち、無変調の基本波と、グルーブを挟む隣接するランドアドレスの一方（偶数ランドトラックのランドアドレス）によりＢＰＳＫ変調した２次高調波成分と、グルーブを挟む隣接するランドアドレスの他方（奇数ランドトラックのランドアドレス）によりＢＰＳＫ変調した３次高調波成分とを重畳した重畳波形を生成する。この重畳波形によって、グルーブのウォブルが変調される。
【００５２】
例えば、図８において、ランドＬ１２とランドＬ１１との間のグルーブＧを記録する場合には、無変調の基本波と、ランドＬ１２のランドアドレスにより変調された２次高調波成分と、ランドＬ１１のランドアドレスにより変調された３次高調波成分とを重畳した重畳波形を生成する。この重畳波形によってグルーブＧをウォブルさせる。グルーブＧのウォブルで、グルーブＧを挟む両隣りのランドＬ１２のアドレスおよびランドＬ１１のアドレスを記録する。
【００５３】
このように、以下の重畳波形がグルーブＧのウォブルで記録される。
グルーブＧ（Ｌ１１とＬ１２との間）：基本波と２次高調波成分（Ｌ１２のランドアドレスによりＢＰＳＫ変調）と３次高調波成分（Ｌ１１のランドアドレスによりＢＰＳＫ変調）との重畳波形
グルーブＧ（Ｌ１２とＬ１３との間）：基本波と２次高調波成分（Ｌ１２のランドアドレスによりＢＰＳＫ変調）と３次高調波成分（Ｌ１３のランドアドレスによりＢＰＳＫ変調）との重畳波形
グルーブＧ（Ｌ１３とＬ１４との間）：基本波と２次高調波成分（Ｌ１４のランドアドレスによりＢＰＳＫ変調）と３次高調波成分（Ｌ１３のランドアドレスによりＢＰＳＫ変調）との重畳波形
グルーブＧ（Ｌ１４とＬ１５との間）：基本波と２次高調波成分（Ｌ１４のランドアドレスによりＢＰＳＫ変調）と３次高調波成分（Ｌ１５のランドアドレスによりＢＰＳＫ変調）との重畳波形
【００５４】
上述のように記録された光ディスクのアドレス情報の再生について説明する。
ランドアドレスの再生時には、ウォブルの再生信号（ウォブル信号）の２次高調波成分または３次高調波成分をＢＰＳＫ復調することによりアドレス情報を再生する。
【００５５】
例えば、ウォブル信号からフーリエ級数展開の原理により、ウォブルの基本周波数成分、２次高調波成分および３次高調波成分を分離抽出する。無変調の基本周波数成分から、単位記録区間を検出し、２次高調波成分または３次高調波成分をＢＰＳＫ復調し、ＳＴＷと同様の積分検出によってアドレス情報を再生する。なお、２次高調波成分および３次高調波成分は、上述のようにアドレス情報によりＢＰＳＫ変調された変調波である。
【００５６】
例えば、上述のようにアドレス情報を記録した奇数トラック番号のランドのアドレス情報の再生では、再生するランドのアドレス情報により変調されている３次高調波成分をＢＰＳＫ復調して、アドレス情報を復元する。また、偶数トラック番号のランドのアドレス情報の再生では、再生するランドのアドレス情報により変調されている２次高調波成分をＢＰＳＫ復調して、アドレス情報を復元する。
【００５７】
一方、グルーブのアドレス情報の再生では、ウォブル信号の２次高調波成分および３次高調波成分をＢＰＳＫ復調して、アドレス情報を復元する。例えば、ウォブル信号からフーリエ級数展開の原理により、基本周波数成分、２次高調波成分および３次高調波成分を分離抽出する。例えば、無変調の基本周波数成分から、単位記録区間を検出し、また、２次高調波成分および３次高調波成分をＢＰＳＫ復調し、アドレス情報を復元する。
【００５８】
２次高調波成分は、アドレス情報を再生するグルーブに隣接する偶数トラック番号ランドのアドレス情報により変調されている。３次高調波成分は、アドレス情報を再生するグルーブに隣接する奇数トラック番号ランドのアドレス情報により変調されている。グルーブのアドレス情報の再生では、２次高調波成分をＢＰＳＫ復調して、隣接する偶数トラック番号ランドのアドレス情報を復元すると共に、３次高調波成分をＢＰＳＫ復調して、隣接する奇数トラック番号ランドのアドレス情報を復元する。そして、アドレス情報が復元された隣接する両方のランドに挟まれたグルーブとしてのアドレス情報を定義して、このグルーブのアドレス情報を再生する。
上述したアドレス変調方式は、２次および３次高調波成分の振幅を例えば基本波成分の１／８のように小さい値に設定することにより、パリティエリアのように、隣接トラック間で相違するアドレスの場合でも、変調によるランド幅の変動を小さいものに抑えることができる。
【００５９】
＜６．ディスク再生装置＞
本開示の一実施の形態によるディスク再生装置について、アドレスの再生を主に説明する。ウォブルアドレスが形成されている光ディスク１に対してデータが記録され、光ディスク１からデータが再生される。
【００６０】
光ディスク１がスピンドルモータ２によって角速度一定で回転される。すなわち、光ディスク１がＣＡＶ方式で回転される。ゾーンＣＡＶ方式を使用しても良い。光学ヘッド３に対してレーザ駆動部４からの駆動信号が供給され、記録データ５に応じて強度が変調されたレーザビームが光学ヘッド３から光ディスク１に対して照射され、再生されたアドレス情報に基づいて決定された光ディスク１のグルーブトラックおよびランドトラックのそれぞれの所定の位置にデータが記録される。
【００６１】
光ディスク１に対して光学ヘッド３からの読み取りレーザビームが照射され、その反射光が光学ヘッド３内のフォトディテクタによって検出され、信号検出部６によって再生信号が検出される。信号検出部６からは、再生信号７、フォーカスエラー信号、トラッキングエラー信号等のサーボエラー信号８、並びにウォブル信号９が取り出される。ウォブル信号９は、トラック方向で光検出素子が２分割された検出器の出力信号である。例えば二つの検出器の差の信号がウォブル信号９として取り出される。ウォブル信号９は、ウォブル波形に応じたものとなる。トラックの両側のウォブルが同一位相の場合に、ウォブル信号９の振幅が最大となり、両側のウォブルが逆位相の場合に、ウォブル信号９の振幅が最小となる。
【００６２】
サーボエラー信号８がサーボ回路１０に供給される。サーボ回路１０によってスピンドルモータ２の回転が角速度一定に制御され、光学ヘッド３のフォーカスおよびトラッキングが制御される。
【００６３】
信号検出部６により検出されたウォブル信号９がＡ／Ｄコンバータ１１に供給され、Ａ／Ｄコンバータ１１によってデジタル信号に変換される。Ａ／Ｄコンバータ１１の出力信号がビットシンク検出回路１２に供給され、検出信号がデジタルＰＬＬ（Phase Locked Loop ）１３に供給される。ビットシンクは、データエリア、パリティエリアと異なる変調方式または無変調のデータとされており、アドレスの復調前に検出可能とされている。ＰＬＬ１３から再生信号と同期したクロックが出力される。クロックがタイミング信号生成回路１４に供給される。
【００６４】
さらに、ワードシンク検出回路１５が設けられ、再生信号中のワードシンクが検出される。ワードシンクは、データエリア、パリティエリアと異なる変調方式または無変調のデータとされており、アドレスの復調前に検出可能とされている。ワードシンク検出信号がタイミング信号生成回路１４に供給される。タイミング信号生成回路１４は、再生装置の処理に必要な各種のタイミング信号を生成する。
【００６５】
ワードシンク検出回路１５を通った再生信号がセレクタ１６に供給される。セレクタ１６は、ＡＤＩＰワードの中で、異なる変調方法で変調されている２種類の信号を分離するものである。上述した図５Ｂに示すアドレスのデータ構成において、データエリアのデータと、パリティエリアのデータとがセレクタ１６によって分離される。
【００６６】
セレクタ１６によって分離されたデータエリアのデータがアドレス復調回路１７に供給される。アドレス復調回路１７は、例えばＭＳＫの復調を行う回路である。アドレス復調回路１７により得られたデータエリアのデータがエラー訂正回路１９に供給される。
【００６７】
セレクタ１６によって分離されたパリティエリアのデータがアドレス復調回路１８に供給される。アドレス復調回路１８は、例えばＳＴＷまたは上述したＯＦＤＭ方式の復調を行う回路である。アドレス復調回路１８により得られたデータエリアのデータがエラー訂正回路１９に供給される。エラー訂正回路１９は、パリティを使用してデータエリアのデータのエラー訂正処理を行う。エラー訂正回路１９からアドレス情報が得られる。なお、エラー訂正回路１９において、訂正できないエラーに対して補間処理を行うようにしても良い。
【００６８】
＜７．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。
【００６９】
例えばアドレス情報の変調方法としては、ＭＳＫ、ＳＴＷ、図７に示すランドアドレス二重記録方式、図８に示すＯＦＤＭ方式以外の方法を使用しても良い。さらに、訂正符号化としては、上述した方法以外の方法が可能である。例えば隣接トラック間で同一のデータに対してのパリティは、パリティも同一となるので、変動が大きい変調方式を使用して短い区間に記録しても良い。
【００７０】
なお、本開示は、以下のような構成も取ることができる。
（１）
連続的にウォブルするグルーブが予め形成され、前記グルーブおよび前記グルーブに隣接するランドに情報を記録するようになされ、
前記ウォブルの基本波成分が隣接する前記グルーブ間で同一位相とされ、前記ウォブルを変調することによって、アドレス情報が記録され、
前記アドレス情報は、隣接トラック間で同一の第１のデータと、隣接トラック間で異なる第２のデータとを含み、
前記第１のデータと前記第２のデータとが異なる第１および第２の変調方式によってそれぞれ変調されて記録されている光情報記録媒体。
（２）
前記第２のデータを変調する前記第２の変調方式に比較して、前記第１のデータを変調する前記第１の変調方式は、変調成分がより大きいものである（１）に記載の光情報記録媒体。
（３）
トラックの１周が略等しい角度でもって分割され、分割された範囲を示す角度領域番号が前記第１のデータに含まれる（１）に記載の光情報記録媒体。
（４）
前記第２のデータに、隣接トラック間で段階的に変化するトラック番号を変化により相違するビット数をより少なくするように符号化した符号化トラック番号が含まれる（１）に記載の光情報記録媒体。
（５）
前記第１および第２のデータがエラー訂正符号化され、エラー訂正符号化の冗長データが前記第２の変調方式でもって変調されて記録されている（１）に記載の光情報記録媒体。
（６）
前記エラー訂正符号化が組織符号である（５）に記載の光情報記録媒体。
（７）
連続的にウォブルするグルーブが予め形成され、前記グルーブおよび前記グルーブに隣接するランドに情報を記録するようになされ、
前記ウォブルの基本波成分が隣接する前記グルーブ間で同一位相とされ、前記ウォブルを変調することによって、アドレス情報が記録され、
前記アドレス情報は、隣接トラック間で同一の第１のデータと、隣接トラック間で異なる第２のデータとを含み、
前記第１のデータと前記第２のデータとが異なる第１および第２の変調方式によってそれぞれ変調されて記録されている光情報記録媒体を光学的に再生し、
ランドを走査する時に、前記第１および第２のデータを再生しランドのアドレス情報を再生する光情報記録媒体再生装置。
【符号の説明】
【００７１】
１・・・光ディスク
２・・・スピンドルモータ
３・・・光学ヘッド
１３・・・ＰＬＬ
１６・・・セレクタ
１７、１８・・・アドレス復調回路
【図１】
2015036996.tif 000003
【図２】
2015036996.tif 000004
【図４】
2015036996.tif 000005
【図５】
2015036996.tif 000006
【図６】
2015036996.tif 000007
【図８】
2015036996.tif 000008
【図９】
2015036996.tif 000009
【図３】
2015036996.tif 000010
【図７】
2015036996.tif 000011